(57)【要約】【課題】電子商取引での商品販売において、商品の購入意欲を好適に掻き立てることが可能な表示システム、集約装置、サーバ装置及びプログラムを提供する。【解決手段】集約装置５は、店舗サーバ４から受信する実店舗の購入情報及びＥＣサーバ６から受信する電子商取引の購入情報に基づき、各販売グループの商品ごとの売上数を集計する。そして、ＥＣサーバ６は、販売グループごとに閾値個数Ｎｔｈ売れた商品に対応する商品画像を、時系列に並べてスクロールさせながらＥＣサイト画面の直近売筋表示欄Ｆｄに表示する。【選択図】図１
2017219916.tif 000002
【特許請求の範囲】
【請求項１】
購入された商品の購入情報に基づき、少なくとも商品ごとの直近の売上数の集計を行う集計手段と、
前記売上数が所定個数以上となる商品を、表示対象の商品として決定する決定手段と、
前記表示対象の商品に対応する商品画像を、時系列に並べて表示端末に表示させる表示制御手段と、
を有することを特徴とする表示システム。
【請求項２】
前記集計手段は、商品を販売する店舗で販売された商品に対する購入情報と、電子商取引により販売された商品に対する購入情報とに基づき、前記売上数の集計を行うことを特徴とする請求項１に記載の表示システム。
【請求項３】
前記集計手段は、販売元及び商品ごとに、前記売上数の集計を行い、
前記決定手段は、前記販売元ごとに前記売上数が所定個数以上となる商品を、表示対象の商品として決定することを特徴とする請求項１または２に記載の表示システム。
【請求項４】
前記決定手段は、前記所定個数を、前記販売元ごとに設定することを特徴とすることを特徴とする請求項３に記載の表示システム。
【請求項５】
前記決定手段は、前記購入情報に含まれる販売日時に基づき、前記表示商品の表示順をさらに決定し、
前記表示制御手段は、前記決定手段が決定した表示順に従い、前記商品画像を時系列に並べて前記表示端末に表示させることを特徴とする請求項１〜４のいずれか一項に記載の表示システム。
【請求項６】
前記表示制御手段は、前記商品画像を所定時間間隔ごとにスクロールさせて前記表示端末に表示させることを特徴とする請求項１〜５のいずれか一項に記載の表示システム。
【請求項７】
前記表示制御手段は、前記売上数が多いほど、当該売上数に応じて表示させる商品画像を強調して表示することを特徴とする請求項１〜６のいずれか一項に記載の表示システム。
【請求項８】
前記表示制御手段は、前記表示端末の利用者の属性情報又は嗜好情報に基づき、前記表示端末に表示させる商品画像を取捨選択することを特徴とする請求項１〜７のいずれか一項に記載の表示システム。
【請求項９】
前記集計手段及び前記決定手段として機能する集約装置と、前記集約装置及び前記表示端末と通信を行い、前記表示制御手段として機能するサーバ装置とを備えることを特徴とする請求項１〜８のいずれか一項に記載の表示システム。
【請求項１０】
請求項１〜９のいずれか一項に記載の表示システムの集計手段及び決定手段として機能することを特徴とする集約装置。
【請求項１１】
請求項１〜１０のいずれか一項に記載の表示システムの表示制御手段として機能することを特徴とするサーバ装置。
【請求項１２】
請求項１０に記載の集約装置又は請求項１１に記載のサーバ装置としてコンピュータを機能させることを特徴とするプログラム。
【発明の詳細な説明】
【技術分野】
【０００１】
本発明は、商品の購入を促進する技術に関する。
【背景技術】
【０００２】
従来から、週又は月単位での売上金額等を集計し、書籍等の商品の売り上げのランキングを表示する技術が知られている。また、特許文献１には、インターネット等の通信回線を使用した電子商取引によるリアルタイム販売システムにおいて、顧客が使用する端末に、商品データ画面を閲覧している顧客数などの他の顧客の動向に関する情報をリアルタイムで表示する技術が開示されている。
【先行技術文献】
【特許文献】
【０００３】
【特許文献１】特開２００４−２８０２６８号公報
【発明の概要】
【発明が解決しようとする課題】
【０００４】
実際の店舗では、会計場所に顧客が購入する商品が運ばれて会計処理が行われるため、各顧客は、他の顧客が購入した商品の傾向をリアルタイムで把握することが可能であるが、電子商取引での商品購入では他の顧客の動向をリアルタイムでは把握しにくい。一方、売上のランキングを集計して利用者端末の画面上に表示させた場合、他の顧客のおよその動向を把握させることができるが、即時性に欠け、実店舗のような臨場感を出すことができないという問題がある。そこで、本発明は、電子商取引での商品販売において、商品の購入意欲を好適に掻き立てることが可能な表示システム、集約装置、サーバ装置及びプログラムを提供することを主な課題とする。
【課題を解決するための手段】
【０００５】
本発明の１つの観点では、表示システムは、購入された商品の購入情報に基づき、少なくとも商品ごとの直近の売上数の集計を行う集計手段と、前記売上数が所定個数以上となる商品を、表示対象の商品として決定する決定手段と、前記表示対象の商品に対応する商品画像を、時系列に並べて表示端末に表示させる表示制御手段と、を有する。
【０００６】
上記表示システムは、１又は複数の相互に通信可能な装置から構成され、集計手段と、決定手段と、表示制御手段とを備える。集計手段は、購入された商品の購入情報に基づき、少なくとも商品ごとの直近の売上数の集計を行う。決定手段は、売上数が所定個数以上となる商品を、表示対象の商品として決定する。表示制御手段は、表示対象の商品に対応する商品画像を、時系列に並べて表示端末に表示させる。この態様では、表示システムは、直近に所定個数以上売れた商品を時系列に並べて表示することで、臨場感を持って他の顧客の購入動向を表示端末のユーザに把握させ、商品の購入意欲を好適に掻き立てることができる。
【０００７】
上記表示システムの一態様では、前記集計手段は、商品を販売する店舗で販売された商品に対する購入情報と、電子商取引により販売された商品に対する購入情報とに基づき、前記売上数の集計を行う。この態様では、表示システムは、実店舗で販売された商品と電子商取引により販売された商品との両方の販売状況をリアルタイムで表示端末のユーザに把握させることができる。
【０００８】
上記表示システムの他の一態様では、前記集計手段は、販売元及び商品ごとに、前記売上数の集計を行い、前記決定手段は、前記販売元ごとに前記売上数が所定個数以上となる商品を、表示対象の商品として決定する。「販売元」は、会社又はグループ（系列）会社単位であってもよく、会社内での店舗単位であってもよい。この態様により、表示システムは、各販売元での現在の売れ筋商品を好適に表示端末のユーザに把握させることができる。
【０００９】
上記表示システムの他の一態様では、前記決定手段は、前記所定個数を、前記販売元ごとに設定する。この態様により、表示システムは、商品の売上数が多い販売元に対応する商品画像が偏って多く表示されるのを好適に抑制することができる。
【００１０】
上記表示システムの他の一態様では、前記決定手段は、前記購入情報に含まれる販売日時に基づき、前記表示商品の表示順をさらに決定し、前記表示制御手段は、前記決定手段が決定した表示順に従い、前記商品画像を時系列に並べて前記表示端末に表示させる。この態様により、表示システムは、他の顧客によって購入された商品を販売日時に従い順次表示端末のユーザに把握させることができる。
【００１１】
上記表示システムの他の一態様では、前記表示制御手段は、前記商品画像を所定時間間隔ごとにスクロールさせて前記表示端末に表示させる。この態様により、表示システムは、最新の売れ筋商品の商品画像を順次表示端末のユーザに視認させることができる。
【００１２】
上記表示システムの他の一態様では、前記表示制御手段は、前記売上数が多いほど、当該売上数に応じて表示させる商品画像を強調して表示する。この態様により、表示システムは、特に売れている商品の商品画像を強調表示して売れ筋商品を好適に表示端末のユーザに認識させることができる。
【００１３】
上記表示システムの他の一態様では、前記表示制御手段は、前記表示端末の利用者の属性情報又は嗜好情報に基づき、前記表示端末に表示させる商品画像を取捨選択する。「属性情報」は、利用者の年齢、住所、国籍等の属性に関する情報であり、「嗜好情報」は、お好みのジャンルや店舗などの利用者の嗜好に関する情報である。この態様により、表示システムは、表示端末のユーザの購買意欲を掻き立てる商品画像を効率的に表示させることができる。
【００１４】
上記表示システムの好適な例では、表示システムは、前記集計手段及び前記決定手段として機能する集約装置と、前記集約装置及び前記表示端末と通信を行い、前記表示制御手段として機能するサーバ装置とを備える。
【００１５】
本発明の他の観点では、集約装置は、上記いずれか記載の表示システムの集計手段及び決定手段として機能する。この態様により、集約装置は、直近に所定個数以上売れた商品を時系列に並べて表示端末に表示させる際に、商品ごとの売上数を集計し、商品画像として表示させる商品を好適に決定することができる。
【００１６】
本発明のさらに別の観点では、サーバ装置は、上記いずれか記載の表示システムの表示制御手段として機能する。この態様により、サーバ装置は、直近に所定個数以上売れた商品を時系列に並べて表示し、臨場感を持って他の顧客の購入動向を表示端末のユーザに把握させ、商品の購入意欲を好適に掻き立てることができる。
【００１７】
本発明のさらに別の観点では、プログラムは、上記記載の集約装置又はサーバ装置としてコンピュータを機能させる。コンピュータは、このプログラムを搭載して実行することで、上記記載の集約装置又はサーバ装置として機能し、臨場感を持って他の顧客の購入動向を表示端末のユーザに把握させ、商品の購入意欲を好適に掻き立てることができる。
【発明の効果】
【００１８】
本発明に係る表示システムによれば、直近に所定個数以上売れた商品を時系列に並べて表示することで、臨場感を持って他の顧客の購入動向を表示端末のユーザに把握させ、商品の購入意欲を好適に掻き立てることができる。
【図面の簡単な説明】
【００１９】
【図１】実施形態に係る購入情報集約システムの構成を示す。
【図２】集約装置及びＥＣサーバの概略構成図を示す。
【図３】集約装置及びＥＣサーバの機能的な構成を示すブロック図である。
【図４】購入情報及び売上カウントテーブルのデータ構造を示す
【図５】表示用テーブルのデータ構造を示す。
【図６】ＥＣサイト画面の表示例を示す。
【図７】集約装置による表示用テーブル更新処理のフローチャートである。
【図８】直近売筋表示欄の更新処理のフローチャートである。
【図９】変形例に係る表示用テーブル及び直近売筋表示欄の第１表示例を示す。
【図１０】変形例に係る直近売筋表示欄の第２〜４表示例を示す。
【図１１】フィルタリングを実行した場合の直近売筋表示欄の表示例を示す。
【図１２】変形例に係る購入情報集約システムの構成を示す。
【発明を実施するための形態】
【００２０】
以下、図面を参照しながら、本発明を実施するのに好適な実施形態について説明する。
【００２１】
［購入情報集約システムの構成］
図１は、本実施形態に係る購入情報集約システム１００の構成を示す。購入情報集約システム１００は、紙書籍などを販売する実在の店舗（実店舗）での商品の購入情報及び電子商取引（ＥＣ：Ｅｌｅｃｔｒｏｎｉｃ  Ｃｏｍｍｅｒｃｅ）上での商品の購入情報を集約させ、直近に売れている商品を電子商取引に関連した画面（ＥＣサイト画面）上にリアルタイムで表示する。購入情報集約システム１００は、主に、実店舗に設けられた複数のＰＯＳ端末１と、ＥＣサイト画面を表示する複数の利用者端末２と、通信網３Ａ〜３Ｃと、販売グループごとに商品の購入情報を管理する店舗サーバ４と、購入情報を集約する集約装置５と、ＥＣサーバ６とを備える。
【００２２】
ＰＯＳ端末１は、各実店舗に設けられ、商品の会計手続が完了した場合に、購入された商品の識別情報（「商品キー」とも呼ぶ。）及び販売日時等を含む購入情報を、通信網３Ａを介して店舗サーバ４へ送信する。
【００２３】
利用者端末２は、例えばスマートフォン、タブレット型端末、パーソナルコンピュータなどの通信端末であって、通信網３Ｃを介してＥＣサーバ６からＥＣサイト画面の表示情報を受信し、ディスプレイにＥＣサイト画面を表示させる。また、利用者端末２は、ＥＣサイト画面でのユーザ入力を受け付けることで、電子商取引に基づく商品の購入を行うためのデータ通信をＥＣサーバ６と行う。
【００２４】
店舗サーバ４は、管理する販売グループ内のＰＯＳ端末１から受信した購入情報を記録した購入情報テーブル４１を有する。店舗サーバ４は、ＰＯＳ端末１から購入情報を受信するごとに、受信した購入情報を購入情報テーブル４１に追加すると共に、集約装置５へ送信する。
【００２５】
集約装置５は、店舗サーバ４及びＥＣサーバ６のそれぞれから商品の購入情報を受信し、直近（例えば２４時間以内）に購入された商品の集計を行い、集計結果を売上カウントテーブル５４として記憶する。また、集約装置５は、売上カウントテーブル５４に基づき、直近に購入された商品を販売日時に基づき時系列で並べて表示するための表示用テーブル５５を更新する。売上カウントテーブル５４及び表示用テーブル５５のデータ構造例については後述する。
【００２６】
ＥＣサーバ６は、電子商取引を行う販売者が管理するウェブサーバであり、利用者端末２からの要求に基づき、ＥＣサイト画面を表示するための表示情報を生成して利用者端末２に送信する。このとき、ＥＣサーバ６は、集約装置５が管理する表示用テーブル５５を参照し、直近に売れている商品の商品画像を時系列に並べた欄（「直近売筋表示欄Ｆｄ」とも呼ぶ。）をＥＣサイト画面内に設ける。集約装置５及びＥＣサーバ６は、本発明における「表示システム」の一例である。
【００２７】
［集約装置及びＥＣサーバの構成］
図２（Ａ）は、集約装置５の概略構成図である。集約装置５は、記憶部５０と、データ通信を行う通信部５１と、制御部５２とを備える。これらの各要素は、バスラインを介して相互に接続されている。
【００２８】
記憶部５０は、制御部５２が本実施形態に係る処理を実行するのに必要な情報を記憶する。例えば、記憶部５０は、制御部５２が実行するプログラムや、上述した売上カウントテーブル５４及び表示用テーブル５５等を記憶する。通信部５１は、制御部５２の制御に基づき、店舗サーバ４及びＥＣサーバ６とデータ通信を行う。
【００２９】
制御部５２は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、集約装置５内の各構成要素に対して種々の制御を行う。制御部５２は、機能的には、売上数カウント部５６と、表示対象抽出部５７とを備える。そして、制御部５２は、本発明における「集計手段」、「決定手段」及びコンピュータが実行するプログラムとして機能する。
【００３０】
図２（Ｂ）は、ＥＣサーバ６の概略構成図である。ＥＣサーバ６は、記憶部６０と、データ通信を行う通信部６１と、制御部６２とを備える。これらの各要素は、バスラインを介して相互に接続されている。
【００３１】
記憶部６０は、制御部６２が本実施形態に係る処理を実行するのに必要な情報を記憶する。例えば、記憶部６０は、制御部６２が実行するプログラムや、直近売筋表示欄Ｆｄに表示させる商品画像（本の場合には書影画像）のデータベースである商品画像ＤＢ６３等を記憶する。例えば、商品画像ＤＢ６３には、商品キーごとに対応する商品画像が登録されている。通信部６１は、制御部６２の制御に基づき、利用者端末２及び集約装置５とデータ通信を行う。
【００３２】
制御部６２は、図示しないＣＰＵ、ＲＯＭ及びＲＡＭなどを備え、ＥＣサーバ６内の各構成要素に対して種々の制御を行う。制御部６２は、機能的には、後述する表示制御部６４と、利用者端末２との電子商取引により購入された商品の購入情報を生成する購入処理部６５とを備える。そして、制御部６２は、本発明における「表示制御手段」及びコンピュータが実行するプログラムとして機能する。
【００３３】
[直近売筋表示欄の表示制御]
図３は、直近売筋表示欄Ｆｄの表示制御に関する集約装置５及びＥＣサーバ６の機能的な構成を示すブロック図である。
【００３４】
売上数カウント部５６は、店舗サーバ４及びＥＣサーバ６から供給される購入情報を、通信部５１を介して受信する。そして、売上数カウント部５６は、受信した複数の購入情報から、売上カウントテーブル５４の更新を行う。
【００３５】
ここで、購入情報及び売上カウントテーブルのデータ構造について図４（Ａ）、（Ｂ）を参照して説明する。
【００３６】
図４（Ａ）は、売上数カウント部５６が受信した購入情報から構成されるテーブルである。図４（Ａ）に示すように、売上数カウント部５６が店舗サーバ４及び購入処理部６５から受信する購入情報には、販売グループ、商品キー、及び販売日時に関する情報が含まれる。例えば、店舗サーバ４は、ＰＯＳ端末１から商品キー及び販売日時を含む購入情報を受信した場合に、店舗サーバ４を管理する販売グループ（ここでは「○○書店」、「○×堂」、「□□ストア」のいずれか）の情報を購入情報に付加して売上数カウント部５６へ供給する。また、購入処理部６５は、購入された商品が電子書籍の場合には、電子商取引により購入された商品の商品キー及び取引日時の情報と、ＥＣサーバ６の電子書籍部門を管理する販売グループ「ネット書店△△電子書籍」の情報とを付した購入情報を、売上数カウント部５６へ供給する。一方、購入処理部６５は、購入された商品が紙媒体の書籍（紙書籍）の場合には、ＥＣサーバ６の紙書籍部門を管理する販売グループ「ネット書店△△紙書籍」の情報を付した購入情報を売上数カウント部５６へ供給する。
【００３７】
図４（Ｂ）は、売上カウントテーブル５４のデータ構造の一例である。図４（Ｂ）に示す売上カウントテーブル５４は、「販売グループ」、「商品キー」、「カウント」、及び「最新販売日時」の各項目を有する。項目「カウント」には、所定時間以内に購入された商品の販売グループ及び商品キーの組合せごとの売上数が記録される。項目「最新販売日時」には、所定時間以内に購入された商品の販売グループ及び商品キーの組合せごとの最新の販売日時が記録される。
【００３８】
この場合、売上数カウント部５６は、購入情報を受信するごとに、販売グループ及び商品キーが同一となるレコードを図４（Ｂ）の売上カウントテーブル５４から特定し、当該レコードの項目「カウント」を１だけ加算すると共に、項目「最新販売日時」を購入情報に含まれる販売日時に更新する。なお、売上数カウント部５６は、販売グループ及び商品キーが同一となるレコードが売上カウントテーブル５４に存在しない場合には、対象の販売グループ及び商品キーに対応するレコードを生成し、項目「カウント」を１に設定して売上カウントテーブル５４に追加する。なお、好適には、売上数カウント部５６は、最新販売日時が所定時間（例えば２４時間）以上前の売上カウントテーブル５４のレコードを削除するとよい。これにより、売上数カウント部５６は、直近に売れていない購入情報の売上数を項目「カウント」に含めるのを好適に防ぐことができる。
【００３９】
再び図３を参照して表示対象抽出部５７について説明する。表示対象抽出部５７は、所定の時間間隔ごとに、項目「カウント」が所定の閾値個数（「閾値個数Ｎｔｈ」とも呼ぶ。）以上となるレコードを売上カウントテーブル５４から抽出し、当該レコードに対応する販売グループ及び商品キーの組合せを表示用テーブル５５に登録する。また、表示対象抽出部５７は、抽出したレコードの項目「カウント」を、閾値個数Ｎｔｈだけ減算する。閾値個数Ｎｔｈは、本発明における「所定個数」の一例である。
【００４０】
図５（Ａ）は、表示用テーブル５５のデータ構造の一例である。図５（Ａ）に示す表示用テーブル５５は、「販売グループ」、「商品キー」、及び「表示順」の各項目を有する。ここで、項目「販売グループ」及び項目「商品キー」には、表示対象抽出部５７により抽出された項目「カウント」が閾値個数Ｎｔｈ以上となるレコードに対応する販売グループ及び商品キーが登録される。また、項目「表示順」は、対応する商品画像の表示順を示し、図５（Ａ）の例では１番から７番までが割り当てられている。表示順は、表示対象抽出部５７が売上カウントテーブル５４から抽出したレコードの項目「最新販売日時」に基づく順に定められる。具体的には、項目「最新販売日時」が遅い（最新の）日時であるレコードほど、表示順が遅くなるように設定される。
【００４１】
図５（Ａ）の例では、表示対象抽出部５７は、閾値個数Ｎｔｈが「５」である場合に、項目「カウント」が５以上である図４（Ｂ）の売上カウントテーブル５４の１番目〜７番目のレコードを抽出し、対応するレコードを図５の表示用テーブル５５に追加している。このとき、表示対象抽出部５７は、項目「最新販売日時」が最も古い「□□ストア」及び「商品Ｃ」の組合せの表示順を１番とし、項目「最新販売日時」が最も新しい「ネット書店△△電子書籍」及び「商品Ａ」の組合せの表示順を７番としている。その後、表示対象抽出部５７は、図４（Ｂ）の売上カウントテーブル５４の１番目〜７番目のレコードの項目「カウント」を閾値個数Ｎｔｈ「５」だけ減算する。
【００４２】
なお、表示対象抽出部５７は、項目「カウント」が閾値個数Ｎｔｈの２倍以上である場合には、当該項目「カウント」が閾値個数Ｎｔｈ未満になるまで、同一の販売グループ及び商品キーの組合せに対する表示用テーブル５５へのレコードの追加処理を繰り返し行う。よって、この態様では、急激に売上数が伸びている販売グループ及び商品キーの組合せについては、その売上数に応じて表示用テーブル５５に複数個のレコードが追加される。その結果、直近の売上数が多い商品ほど、直近売筋表示欄Ｆｄに商品画像が表示される頻度が高くなる。
【００４３】
再び図３を参照して表示制御部６２について説明する。
【００４４】
表示制御部６２は、表示順が高い順に、直近売筋表示欄Ｆｄに商品画像を表示可能な個数分だけ表示用テーブル５５のレコードを抽出し、当該レコードの商品キーに対応する商品画像を商品画像ＤＢ６３から抽出して直近売筋表示欄Ｆｄ内に表示させる。このとき、表示制御部６２は、商品画像ＤＢ６３から抽出した各商品画像を、表示用テーブル５５に登録された表示順に並べて直近売筋表示欄Ｆｄ内に表示させる。さらに、表示制御部６２は、所定時間間隔（「時間間隔Ｔｓ」とも呼ぶ。）ごとに、直近売筋表示欄Ｆｄの商品画像を、商品画像が並ぶ方向にスクロールさせることで、ユーザに視認させる商品画像を販売日時に基づく時系列により遷移させる。
【００４５】
図５（Ｂ）は、図５（Ａ）の状態から時間間隔Ｔｓ経過後の表示用テーブル５５のデータ構造を示す。図５（Ｂ）の例では、図５（Ａ）において表示順が１番であった販売グループ「□□ストア」の商品キー「商品Ｃ」のレコードが削除されると共に、他のレコードの表示順が１つだけ繰り上がっている。このように、表示制御部６２は、時間間隔Ｔｓごとに、表示順が１番の表示用テーブル５５のレコードを削除すると共に、他のレコードの表示順を１つ繰り上げることで、直近売筋表示欄Ｆｄに表示する商品画像を販売日時に基づく時系列により遷移させる。なお、図５（Ｂ）の表示用テーブル５５には、上述した表示対象抽出部５７により、閾値個数Ｎｔｈ以上売り上げられた商品に対応するレコードが７番以降の表示順となるレコードとして順次追加される。
【００４６】
図６（Ａ）は、直近売筋表示欄Ｆｄが設けられたＥＣサイト画面の表示例を示す。図６（Ａ）に示すＥＣサイト画面は、利用者端末２がＥＣサーバ６から受信した表示情報に基づきディスプレイに表示したものであって、主に、直近売筋表示欄Ｆｄと、ログインを実行するためのユーザＩＤ等の入力画面を表示するためのログインボタン６６と、フリーワードを入力して商品を検索するための検索バー６７とを有する。
【００４７】
この場合、ＥＣサーバ６の表示制御部６２は、図５（Ａ）の表示用テーブル５５を参照し、表示順が１番から５番に設定されているレコードに対応する５つの商品画像７１〜７５を商品画像ＤＢ６３から抽出し、左から順に並べて表示している。図６（Ａ）の例では、各商品画像７１〜７５の上には対応する販売グループ、各商品画像７１〜７５の下にはタイトルなどの商品の識別情報（ここではタイトルに相当する商品キー）をそれぞれ表示させている。そして、表示制御部６２は、時間間隔Ｔｓが経過するごとに、直近売筋表示欄Ｆｄ内の商品画像を矢印７０が示すスクロール方向に商品画像１つ分の距離だけ遷移させる。
【００４８】
図６（Ｂ）は、図６（Ａ）の状態から時間間隔Ｔｓだけ経過した場合のＥＣサイト画面の表示例を示す。図６（Ｂ）の例では、表示制御部６２は、表示用テーブル５５を図５（Ａ）から図５（Ｂ）に更新し、図６（Ａ）において左から２番目に表示した商品画像７２を左から１番目に表示させ、商品画像７３〜７５についても同様に図６（Ａ）の状態から１つ分だけ左方向にシフトさせている。また、この場合、表示制御部６２は、図６（Ａ）において最も左に存在した商品画像７１を非表示にすると共に、表示用テーブル５５において商品画像７５の次の表示順に相当する販売グループ「ネット書店△△電子書籍」及び商品キー「商品Ｂ」に対応する商品画像７６を、図６（Ａ）において商品画像７５が存在した位置に表示させている。
【００４９】
このように、表示制御部６２は、最新の実店舗の購入情報及び電子商取引の購入情報に基づき、最新の売れ筋商品の商品画像を時系列に並べ、かつ、直近売筋表示欄Ｆｄ上でスクロールさせて順次表示する。これにより、実店舗での会計場所での臨場感を再現し、ＥＣサイト画面を閲覧する利用者端末２のユーザの購買意欲を掻き立てることができる。
【００５０】
［処理フロー］
（１）集約装置による表示用テーブル更新処理
図７は、集約装置５による表示用テーブル５５の更新処理の手順を示すフローチャートである。
【００５１】
まず、店舗サーバ４は、ＰＯＳ端末１から商品キー及び販売日時等を含む購入情報を受信したか否か判定する（ステップＳ１０１）。そして、店舗サーバ４は、ＰＯＳ端末１から購入情報を受信した場合（ステップＳ１０１；Ｙｅｓ）、購入情報テーブル４１を更新し、ＰＯＳ端末１から受信した購入情報を集約装置５に送信する（ステップＳ１０２）。
【００５２】
一方、ＥＣサーバ６は、ＥＣサイト画面を表示させている利用者端末２から商品購入の要求があるか否か判定する（ステップＳ１０３）。そして、ＥＣサーバ６は、商品購入の要求があった場合（ステップＳ１０３；Ｙｅｓ）、商品購入に必要な決算処理等を実行すると共に、商品キー及び販売日時等を含む購入情報を集約装置５へ送信する（ステップＳ１０４）。
【００５３】
集約装置５は、店舗サーバ４やＥＣサーバ６から受信した購入情報に基づき、売上カウントテーブル５４を更新する（ステップＳ１０５）。具体的には、集約装置５は、受信した購入情報の各々について、購入情報が示す販売グループ及び商品キーの組合せに対応する売上カウントテーブル５４のレコードの項目「カウント」を１だけ増やすと共に、項目「最新販売日時」を当該購入情報が示す販売日時に更新する。
【００５４】
次に、集約装置５は、表示用テーブル５５の更新タイミングであるか否か判定する（ステップＳ１０６）。例えば、集約装置５は、所定時間間隔（例えば５分）ごとに表示用テーブル５５の更新を行う場合、前回の表示用テーブル５５の更新から上述の所定時間間隔が経過したか否か判定する。そして、集約装置５は、表示用テーブル５５の更新タイミングであると判断した場合（ステップＳ１０６；Ｙｅｓ）、売上カウントテーブル５４において閾値個数Ｎｔｈ以上カウントされた販売グループ及び商品キーの組合せのレコードを表示用テーブル５５に追加する（ステップＳ１０７）。この場合、集約装置５は、表示用テーブル５５に追加した販売グループ及び商品キーの組合せに対応する売上カウントテーブル５４の項目「カウント」を閾値個数Ｎｔｈだけ減算する。
【００５５】
一方、集約装置５は、表示用テーブル５５の更新タイミングでないと判断した場合（ステップＳ１０６；Ｎｏ）、引き続き店舗サーバ４やＥＣサーバ６から購入情報を受信し、売上カウントテーブル５４の更新処理を行う。
【００５６】
（２）直近売筋表示欄の更新処理
図８は、ＥＣサーバ６が実行する直近売筋表示欄Ｆｄの更新処理の手順を示すフローチャートである。ＥＣサーバ６は、図８のフローチャートの処理を、繰り返し実行する。
【００５７】
まず、ＥＣサーバ６は、表示用テーブル５５を参照し、直近売筋表示欄Ｆｄに表示させる商品画像を商品画像ＤＢ６３から抽出する（ステップＳ２０１）。具体的には、ＥＣサーバ６は、直近売筋表示欄Ｆｄに表示可能な商品画像の個数分の表示用テーブル５５のレコードを表示順が高い順に抽出し、当該レコードに対応する商品画像を商品画像ＤＢ６３から抽出する。
【００５８】
次に、ＥＣサーバ６は、直近売筋表示欄Ｆｄ内の商品画像をスクロールするタイミングであるか否か判定する（ステップＳ２０２）。具体的には、ＥＣサーバ６は、前回スクロールを行ってから時間間隔Ｔｓだけ経過したか否か判定する。そして、ＥＣサーバ６は、直近売筋表示欄Ｆｄ内の商品画像をスクロールするタイミングであると判断した場合（ステップＳ２０２；Ｙｅｓ）、表示用テーブル５５を更新し、直近売筋表示欄Ｆｄ内の商品画像をスクロールさせる（ステップＳ２０３）。これにより、ＥＣサーバ６は、販売グループごとの最新の売れ筋商品の商品画像を、利用者端末２のユーザに順次視認させることができる。
【００５９】
［表示システムの作用効果］
実施形態の購入情報集約システム１００によれば、集約装置５は、店舗サーバ４から受信する実店舗の購入情報及びＥＣサーバ６から受信する電子商取引の購入情報に基づき、全ての販売グループの商品ごとの売上数を集計する。そして、ＥＣサーバ６は、販売グループごとに閾値個数Ｎｔｈ売れた商品に対応する商品画像を、時系列に並べてスクロールさせながらＥＣサイト画面の直近売筋表示欄Ｆｄに表示する。これにより、実店舗の会計場所での臨場感を再現し、ＥＣサイト画面を閲覧する利用者端末２のユーザの購買意欲を掻き立てることができる。
【００６０】
［変形例］
次に、実施形態の変形例について説明する。以下の変形例は、任意に組み合わせて上述の実施形態に適用してもよい。
【００６１】
（変形例１）
集約装置５は、閾値個数Ｎｔｈを販売グループごとに設定してもよい。
【００６２】
第１の例では、集約装置５は、商品の販売数が多い販売グループほど、閾値個数Ｎｔｈを高く設定する。この場合、例えば、閾値個数Ｎｔｈは、販売グループごとの過去の商品売上数の集計結果等に基づき販売グループごとに予め設定され、集約装置５は、予め設定された販売グループごとの閾値個数Ｎｔｈを記憶しておく。これにより、集約装置５は、直近売筋表示欄Ｆｄに表示させる商品画像が特定の販売グループに偏るのを好適に抑制することができる。
【００６３】
他の例では、集約装置５は、実施例の「ネット書店△△電子書籍」及び「ネット書店△△紙書籍」などの電子商取引に関連する販売グループの閾値個数Ｎｔｈを実店舗に関する販売グループの閾値個数Ｎｔｈよりも小さく設定する。これにより、集約装置５は、電子商取引に関連する販売グループに対応する商品画像が直近売筋表示欄Ｆｄ内に表示される頻度を高くし、利用者端末２によりＥＣサイト画面を閲覧しているユーザに好適に電子商取引による商品購入を促進させることができる。
【００６４】
（変形例２）
図６に示す直近売筋表示欄Ｆｄの表示例では、ＥＣサーバ６は、閾値個数Ｎｔｈ分の売上数ごとに１つの商品画像を直近売筋表示欄Ｆｄ内に表示させた。これに代えて、ＥＣサーバ６は、集計した売上数に応じて、直近売筋表示欄Ｆｄに表示させる商品画像の表示態様を変化させてもよい。
【００６５】
図９（Ａ）は、本変形例に係る表示用テーブル５５のデータ構造の一例である。図９（Ａ）に示す表示用テーブル５５には、項目「売上数」が設けられている。集約装置５は、図７のステップＳ１０７で売上カウントテーブル５４の項目「カウント」が閾値個数Ｎｔｈ以上となった商品のレコードを表示用テーブル５５に追加する場合、項目「カウント」に登録された数を表示用テーブル５５の項目「売上数」に記録し、参照した売上カウントテーブル５４の項目「カウント」を０に設定する。そして、ＥＣサーバ６は、直近売筋表示欄Ｆｄ内に商品画像を表示させる場合、表示用テーブル５５の項目「売上数」を勘案して対応する商品画像の表示態様を決定する。
【００６６】
図９（Ｂ）は、本変形例に係る直近売筋表示欄Ｆｄの第１表示例である。図９（Ｂ）の例では、ＥＣサーバ６は、図９（Ａ）の表示用テーブル５５の項目「売上数」に応じ、商品画像８１〜８５の大きさを変化させている。具体的には、ＥＣサーバ６は、項目「売上数」が所定個数（ここでは２０）以上のレコードに対応する商品画像８３、８４を、項目「売上数」が２０未満のレコードに対応する他の商品画像８１、８２、８５よりも大きく表示している。この例によれば、ＥＣサーバ６は、直近に特に売上数が多い商品及び販売グループの組合せに対応する商品画像を強調して表示することができる。
【００６７】
図１０（Ａ）は、本変形例に係る直近売筋表示欄Ｆｄの第２表示例である。図１０（Ａ）の例では、ＥＣサーバ６は、表示用テーブル５５の項目「売上数」に登録された売上冊数の表示を重ねた商品画像８１ａ〜８５ａを表示している。このように、ＥＣサーバ６は、商品画像に対応付けて売上冊数を明示することで、各商品画像に対応する商品及び販売グループの組合せごとの直近の売上数を好適に利用者端末２のユーザに視認させることができる。さらに、第２表示例では、ＥＣサーバ６は、項目「売上数」が所定個数（ここでは２０）以上のレコードに対応する商品画像８３ａ、８４ａを、枠の色を変える等の縁取り効果により強調表示している。これにより、ＥＣサーバ６は、売上数が多い商品及び販売グループの組合せに対応する商品画像を優先的にユーザに視認させることができる。
【００６８】
図１０（Ｂ）は、本変形例に係る直近売筋表示欄Ｆｄの第３表示例である。図１０（Ｂ）の例では、ＥＣサーバ６は、表示用テーブル５５の項目「売上数」に登録された売上冊数が多いほど積み重なる数を多くした商品画像８１ｂ〜８５ｂを表示している。図１０（Ｃ）は、本変形例に係る直近売筋表示欄Ｆｄの第４表示例である。図１０（Ｃ）の例では、ＥＣサーバ６は、項目「売上数」に登録された売上冊数が所定個数（ここでは２０）以上となる商品及び販売グループの組合せに対応する商品画像８３ｃ、８４ｃに対し、「売れています」の文字を付している。図１０（Ｂ）、（Ｃ）に示す第３及び第４表示例によっても、売上数が多い商品及び販売グループの組合せに対応する商品画像を、好適に強調して表示することができる。
【００６９】
なお、ＥＣサーバ６は、上述した第１〜第４表示例以外の表示態様により、商品の売上数に応じて直近売筋表示欄Ｆｄに表示させる商品画像の表示態様を変化させてもよい。例えば、ＥＣサーバ６は、所定個数以上の売上数に対応する商品画像を点滅させることで強調してもよい。これらの態様により、ＥＣサーバ６は、直近の売れ筋の商品を好適にユーザに視認させて販売を促進することができる。
【００７０】
（変形例３）
ＥＣサーバ６は、直近売筋表示欄Ｆｄに表示させる商品画像を所定の基準に基づき取捨選択するフィルタリング機能を有してもよい。
【００７１】
例えば、ＥＣサーバ６は、商品キーごとに直近売筋表示欄Ｆｄに商品画像を表示可能か否かを規定したテーブル等を予め記憶しておく。そして、ＥＣサーバ６は、直近売筋表示欄Ｆｄに商品画像を並べて表示する際に、上述のテーブル等を参照し、商品画像が表示不可であると設定された商品キーに対応する商品画像を、表示対象から除外する。商品画像が表示不可であると設定される商品の例は、例えばアダルト向け商品などが該当する。
【００７２】
他の例では、ＥＣサーバ６は、ＥＣサイト画面の閲覧者のユーザ情報に基づき、直近売筋表示欄Ｆｄに表示させる商品画像を取捨選択する。この場合、例えば、ＥＣサーバ６は、ＥＣサイト画面の閲覧者を識別するためのユーザＩＤごとに、ユーザが予め登録した年齢、住所などの属性情報、及び、お気に入りのジャンル、出版社、店舗等の嗜好情報をユーザ情報として記憶しておき、ユーザＩＤを指定してログインが行われた場合に、ユーザＩＤに紐付けて記憶したユーザ情報に基づき直近売筋表示欄Ｆｄに表示させる商品画像を取捨選択する。
【００７３】
図１１（Ａ）、（Ｂ）は、ユーザＩＤ「ＡＢＣ」の利用者端末２のユーザがログイン実行後のＥＣサイト画面を示す。
【００７４】
図１１（Ａ）の表示例では、ＥＣサーバ６は、ユーザＩＤ「ＡＢＣ」に関連付けられた年齢情報及びお好みのジャンルの情報に基づき、ユーザと同一年代（ここでは３０代）の者によって購入されたコミックの商品画像８６〜９０を、時系列により直近売筋表示欄Ｆｄに表示させている。この場合、例えば、店舗サーバ４及びＥＣサーバ６が集約装置５へ送信する購入情報には、購入者のユーザＩＤが付されており、集約装置５は、当該ユーザＩＤに対応するユーザ情報を参照することで、購入者が属する年代ごとに売上カウントテーブル５４及び表示用テーブル５５を生成する。そして、ＥＣサーバ６は、ＥＣサイト画面でログインが行われた場合には、ログインに用いられたユーザＩＤに対応するユーザ情報に含まれる年齢情報に基づき、参照すべき表示用テーブル５５を決定する。そして、ＥＣサーバ６は、表示用テーブル５５の各レコードのうち、コミックに該当する商品キーのレコードのみを抽出し、直近売筋表示欄Ｆｄ内に対応する商品画像を表示させる。このようにすることで、ＥＣサーバ６は、閲覧者の年代及びジャンルの嗜好に合致した商品の商品画像を直近売筋表示欄Ｆｄに表示させ、閲覧者の購入意欲を効果的に掻き立てることができる。
【００７５】
図１１（Ｂ）の表示例では、ＥＣサーバ６は、ユーザＩＤ「ＡＢＣ」に関連付けられたお気に入り店舗（ここでは「○×堂」）の情報に基づき、お気に入り店舗で売れている商品に対応する商品画像９１〜９５を時系列により直近売筋表示欄Ｆｄに表示させている。この場合、例えば、ＥＣサーバ６は、表示用テーブル５５を参照し、ログインされたユーザＩＤに関連付けられたお気に入り店舗を販売グループとする表示用テーブル５５のレコードを抽出し、抽出したレコードに対応する商品画像を直近売筋表示欄Ｆｄに並べて表示させる。この態様によっても、ＥＣサーバ６は、閲覧者のお気に入り店舗で売れている商品をリアルタイムに閲覧者に把握させて商品の購入意欲を好適に促進させることができる。
【００７６】
なお、図１１（Ａ）、（Ｂ）の例に代えて、又はこれに加えて、ＥＣサーバ６は、予め登録されたユーザ情報に含まれる住所、お気に入りの出版社、ブランド、著者、最近利用した店舗、又は過去の購入履歴などの種々の情報に基づき、直近売筋表示欄Ｆｄに商品画像を表示させる商品を取捨選択してもよい。例えば、ＥＣサーバ６は、過去の購入履歴を勘案する場合、過去に購入された商品の続刊その他の関連商品の商品キーに対応する表示用テーブル５５のレコードを抽出し、当該レコードに対応する商品画像を直近売筋表示欄Ｆｄに並べて表示する。
【００７７】
好適には、ＥＣサーバ６は、ＥＣサイト画面等において、直近売筋表示欄Ｆｄに表示させる商品画像を取捨選択する際に考慮すべき項目を選択する選択欄を設けるとよい。この場合、ＥＣサーバ６は、選択欄でのユーザ入力に基づき選択された項目に対応するユーザ情報を勘案し、直近売筋表示欄Ｆｄに表示させる商品画像を取捨選択する。これにより、ＥＣサーバ６は、ユーザの購入意欲を刺激する商品画像を効率的に直近売筋表示欄Ｆｄ内で視認させることができる。なお、この場合、ＥＣサーバ６は、上述の選択欄において、割引された商品（所謂セール品）の表示の有無を選択させ、セール品を表示する旨のユーザ入力があった場合には、セール品の商品画像のみを直近売筋表示欄Ｆｄに表示させてもよい。
【００７８】
また、予め登録されたユーザ情報を利用する代わりに、ＥＣサーバ６は、ＥＣサイト画面でログイン中のユーザの現在位置情報が示す位置に最も近い店舗での直近の売れ筋商品の商品画像を図１１（Ｂ）と同様に表示させてもよい。この場合、ＥＣサーバ６は、利用者端末２に内蔵されたＧＰＳ受信機等により生成した現在位置情報を利用者端末２から受信し、当該現在位置情報に基づき閲覧者が最も近い店舗を特定する。この態様により、ＥＣサーバ６は、閲覧者が今から立寄りやすい店舗の売れ筋商品を好適に閲覧者に把握させて購入意欲を掻き立てることができる。
【００７９】
（変形例４）
図８のフローチャートのステップＳ２０３では、ＥＣサーバ６は、商品画像をスクロールさせるごとに表示用テーブル５５の表示順が１番のレコードを削除した。これに代えて、ＥＣサーバ６は、表示用テーブル５５の表示順が１番のレコードを削除することなく最後尾の表示順にして残してもよい。
【００８０】
この場合、ＥＣサーバ６は、表示用テーブル５５に登録された販売グループ及び商品キーの組合せに対応する商品画像を循環させて繰り返し表示する。この場合、集約装置５は、表示用テーブル５５に所定時間（例えば１時間）以上存在するレコードを自動削除してもよく、表示用テーブル５５のレコード数が所定個数を超えた場合に、超過分だけ古いレコードから順に削除してもよい。これにより、ＥＣサーバ６は、売上数が比較的少なく、表示用テーブル５５に追加されるレコードが少ない時間帯においても、直近売筋表示欄Ｆｄ内で商品画像を好適に循環させて表示させることができる。
【００８１】
（変形例５）
ＥＣサーバ６は、時間間隔Ｔｓを表示用テーブル５５のレコード数に応じて変化させてもよい。
【００８２】
好適には、ＥＣサーバ６は、表示用テーブル５５のレコード数が多いほど時間間隔Ｔｓを短くする。例えば、ＥＣサーバ６は、２段階の時間間隔Ｔｓを設け、表示用テーブル５５のレコード数が所定個数以上の場合に短い方の時間間隔Ｔｓを用い、表示用テーブル５５のレコード数が所定個数未満の場合に長い方の時間間隔Ｔｓを用いる。これにより、ＥＣサーバ６は、表示用テーブル５５のレコード数を好適に調整することができる。したがって、ＥＣサーバ６は、表示用テーブル５５にレコードが追加されてから当該レコードに対応する商品画像が直近売筋表示欄Ｆｄに表示されるまでの時間が長くなったり、売上数が少ない時間帯に、表示用テーブル５５のレコード数が過小になって直近売筋表示欄Ｆｄに表示させる商品画像が無くなったりするのを好適に防止することができる。
【００８３】
（変形例６）
図５及び図６の例では、ＥＣサーバ６は、時間間隔Ｔｓだけ経過する度に、商品画像１個分だけ直近売筋表示欄Ｆｄ内の商品画像を遷移させた。これに代えて、ＥＣサーバ６は、直近売筋表示欄Ｆｄ内の商品画像を、時間間隔Ｔｓだけ経過する度に、商品画像２個分以上遷移させてもよい。
【００８４】
この場合、例えば、ＥＣサーバ６は、変形例５の時間間隔Ｔｓと同様に、表示用テーブル５５のレコード数が多いほど、時間間隔Ｔｓだけ経過する度に商品画像を遷移させる幅を長くする。この例によっても、変形例５と同様、表示用テーブル５５のレコード数を好適に調整することができる。
【００８５】
（変形例７）
図６に示す直近売筋表示欄Ｆｄのレイアウトは一例であり、本発明が適用可能な直近売筋表示欄Ｆｄのレイアウトはこれに限定されない。例えば、ＥＣサーバ６は、直近売筋表示欄Ｆｄを縦長に設定し、商品画像を並べる方向及びスクロール方向を縦方向に設定してもよい。
【００８６】
（変形例８）
購入情報集約システム１００が取り扱う商品は、書籍に限らなくともよい。例えば、購入情報集約システム１００は、書籍に加え、又はこれに代えて、音楽や映画の再生用メディア、その他種々の商品を取引対象としてもよい。
【００８７】
（変形例９）
図１に示す購入情報集約システム１００の構成は一例であり、本発明が適用可能な構成は、図１に示す構成に限定されない。
【００８８】
図１２は、変形例に係る購入情報集約システム１００Ａの概略構成を示す。図１２の構成例では、購入情報集約システム１００ＡのＥＣサーバ６Ａは、図１の集約装置５及びＥＣサーバ６の両方として機能し、売上カウントテーブル５４及び表示用テーブル５５を保持する。そして、ＥＣサーバ６Ａは、図７のステップＳ１０５〜Ｓ１０７を実行して売上カウントテーブル５４及び表示用テーブル５５の更新処理を行う。
【００８９】
この態様によっても、購入情報集約システム１００Ａは、実施形態と同様に、直近売筋表示欄Ｆｄの表示処理を好適に実行することができる。
【００９０】
（変形例１０）
図４（Ｂ）に示す売上カウントテーブル５４では、販売グループごとに売上数のカウントが計算されていた。これに代えて、売上カウントテーブル５４では、店舗ごとに売上数のカウントが計算されてもよい。
【００９１】
この場合、店舗サーバ４から集約装置５に送信される購入情報には店舗の識別情報が含まれ、集約装置５は、店舗サーバ４から受信する購入情報については、各販売グループの店舗及び商品キーの組合せごとに売上カウントテーブル５４のレコードを生成して項目「カウント」を計算し、表示用テーブル５５の更新処理を行う。この態様では、ＥＣサーバ６は、直近売筋表示欄Ｆｄに表示させる商品画像を店舗ごとに表示し、店舗ごとの売れ筋を好適に利用者端末２のユーザに把握させることができる。
【符号の説明】
【００９２】
１…ＰＯＳ端末
２…利用者端末
３Ａ〜３Ｃ…通信網
４…店舗サーバ
５…集約装置
６、６Ａ…ＥＣサーバ
１００、１００Ａ…表示システム
【図１】
2017219916.tif 000003
【図２】
2017219916.tif 000004
【図３】
2017219916.tif 000005
【図４】
2017219916.tif 000006
【図５】
2017219916.tif 000007
【図６】
2017219916.tif 000008
【図７】
2017219916.tif 000009
【図８】
2017219916.tif 000010
【図９】
2017219916.tif 000011
【図１０】
2017219916.tif 000012
【図１１】
2017219916.tif 000013
【図１２】
2017219916.tif 000014